(57)【要約】      （修正有）【課題】基体への制動作用をベルトコンベヤ―と牽引ユニットとの間の部分に局所化する。【解決手段】連続的なシート状の基体（３）は、コンベヤー（７）に向かって供給され、コンベヤー自体に載置される。コンベヤー（７）を用いて、基体（３）は供給方向（Ｆ）に沿って移動される。コンベヤー（７）の上方で動作する印刷ユニット（８）によって、基体（３）上に印刷パターンが実現される。コンベヤー（７）の下流側で動作する牽引ユニット（１２）を用いて、印刷された基体（３）が引っ張られる。コンベヤー（７）と牽引ユニット（１２）との間の長手方向延設部分の一部において、基体（３）が制動作用を受けて、牽引ユニット（１２）によって当該基体に対して生成される牽引作用を抑制して基体（３）が保持される。乾燥系（２５）は、放射と換気との作用の組み合わせで、制動作用によって影響を受ける領域において基体（３）に対して動作する。【選択図】図１
2019093706.tif 000002
【特許請求の範囲】
【請求項１】
連続的なシート状の基体にデジタル印刷を行うための方法であって、
ベルトコンベヤー（７）に連続的なシート状の基体（３）を供給する工程と、
前記ベルトコンベヤー（７）に前記基体（３）を載置する工程と、
前記ベルトコンベヤー（７）を用いて、供給方向（Ｆ）に沿って前記基体（３）を平行移動させる工程と、
前記ベルトコンベヤー（７）の上方で動作する印刷ユニット（８）を用いて前記基体（３）上に印刷パターンを実現する工程と、
前記ベルトコンベヤー（７）の下流側で動作する牽引ユニット（１２）を用いて前記印刷された基体（３）を引っ張る工程と、
前記牽引ユニット（１２）によって生成される牽引作用を抑制して前記基体（３）を保持するよう、前記ベルトコンベヤー（７）と前記牽引ユニット（１２）との間で前記基体（３）に制動作用を与える工程と、
を含む方法。
【請求項２】
請求項１に記載の方法であって、前記制動作用は、前記基体（３）が摺動するスライドプレート（１９）に形成される貫通開口部（２４）において行われる吸引作用によって行われる方法。
【請求項３】
請求項１または２に記載の方法であって、前記印刷された基体（３）は、前記ベルトコンベヤー（７）と前記牽引ユニット（１２）との間に配置される前記基体（３）の長手方向部分に沿って実行される乾燥作用を受ける方法。
【請求項４】
請求項３に記載の方法であって、前記乾燥作用は、前記基体（３）から間隔を空けた位置に支持される放射要素（２８）によって生成される光放射によって、そして前記基体（３）に向けられる少なくとも換気フローを用いて、行われる方法。
【請求項５】
請求項４に記載の方法であって、さらに、前記換気フローを前記基体（３）に向ける前に前記換気フローを用いて前記放射要素（２８）を冷却する作用を含む方法。
【請求項６】
連続的なシート状の基体にデジタル印刷を行うための装置であって、
連続的なシート状の基体（３）を供給するための供給ユニット（２）と、
前記供給ユニット（２）から前記基体（３）を受け取り供給方向（Ｆ）に沿って前記基体（３）を平行移動させるよう構成されるベルトコンベヤー（７）を備える移送系（４）と、
前記基体（３）上に印刷パターンを生成するよう前記ベルトコンベヤー（７）の上方で動作する印刷ユニット（８）と、
前記印刷された基体（３）を引っ張るよう前記移送系（４）の下流側で動作する牽引ユニット（１２）と、
を備えており、さらに、
前記牽引ユニット（１２）によって生成される牽引作用を抑制するよう前記基体（３）を保持するように、前記ベルトコンベヤー（７）と前記牽引ユニット（１２）との間に機能的に配置される制動ユニット（１８）を備える装置。
【請求項７】
請求項６に記載の装置であって、
前記制動ユニット（１８）は、
前記基体（３）が摺動可能に構成され、複数の貫通開口部（２４）を有するスライドプレート（１９）と、
前記スライドプレート（１９）によって境界が定められる吸引チャンバ（２０）と、
前記吸引チャンバ（２０）の内側を真空状態とするよう構成される吸引ユニット（２１）と、
を備えている装置。
【請求項８】
請求項６または７に記載の装置であって、前記貫通開口部（２４）は、前記基体（３）の前記供給方向（Ｆ）に沿って延設される溝の態様である装置。
【請求項９】
請求項６〜８の一以上に記載の装置であって、前記制動ユニット（１８）は、前記基体（３）を乾燥するよう構成される乾燥系（２５）と一体化されている装置。
【請求項１０】
請求項９に記載の装置であって、前記乾燥系（２５）は、前記スライドプレート（１９）から間隔を空けた位置に懸架される少なくとも一つの加熱器（２６）を備える装置。
【請求項１１】
請求項７かつ請求項１０に記載の装置であって、前記加熱器（２６）は、前記スライドプレート（１９）を支持する箱状柱体（２３）から延設されるそれぞれの延設部（２３ａ）と係合する対向する側部を有するパネル（２７）を備える装置。
【請求項１２】
請求項１１に記載の装置であって、前記加熱器（２６）は、前記パネル（２７）によって機能的に担持される放射要素（２８）を備える装置。
【請求項１３】
請求項９〜１２の一以上に記載の装置であって、前記乾燥系（２５）は、前記スライドプレート（１９）に向かって少なくとも換気フローを与えるよう構成される換気装置（３０）を備える装置。
【請求項１４】
請求項１２かつ請求項１３に記載の装置であって、前記換気フローは、前記スライドプレート（１９）に達する前に前記放射要素（２８）を掠める装置。
【請求項１５】
請求項１１かつ請求項１３に記載の装置であって、前記換気装置（３０）は、前記パネル（２７）に向かって内部に延設されており、前記パネル（２７）自体の下面に形成される一以上の通気開口部（３２）を通って前記スライドプレート（１９）の方向に出ていく換気経路を有する装置。
【発明の詳細な説明】
【技術分野】
【０００１】
本発明は、連続的なシート状の基体へのデジタル印刷方法に関する。また本発明は、連続的なシート状の基体へのデジタル印刷を行う装置に関する。
【０００２】
特に、本発明は、典型的には、産業用大判プリンタの使用において実現されるのに好適である。
【背景技術】
【０００３】
大判媒体にデジタル印刷を実行するために典型的にはインク・ジェットを用いることが、産業用途の印刷装置の使用に関して知られている。これら用途のための印刷媒体は通常、紙材料、重合体材料または繊維材料である。例として、これらのプリンタは一般に、ポスター、大型屋外広告板、バナー、衣類用布地、家具用布地等の印刷のために用いられる。
【０００４】
このタイプの装置は、通常供給リールから引き出すことにより、連続的なシート状の基体を供給するための供給ユニットを備える。
【０００５】
基体は、基体それ自体が所定の供給方向に沿って長手方向に移動されるベルトコンベヤー上の供給ユニットから案内される。供給方向に対して横方向に移動可能であるキャリッジ上に装着される複数の印刷ヘッドが通常配置される印刷ユニットは、基体上に印刷パターンを実現するために、ベルトコンベヤーの上方で動作する。
【０００６】
ベルトコンベヤーの作用による基体の平行移動は、典型的には、移動ステップと、印刷インクがヘッドによって適量供給される停止ステップと、が交互に行われるという特徴を有する。
【０００７】
基体がベルトコンベヤーによって与えられる移動に正確に追従し、これにより確実に適切な印刷を実行するために、ベルトコンベヤー上への基体の位置決めを適切に安定して行いやすくする目的で、適当な対策が、例えば静電引力によるまたはコンベヤー上に粘着物質を分散することによる対策が採用されている。
【０００８】
本願出願人による国際特許出願公開第２０１７／０６０８７５号（ＷＯ２０１７／０６０８７５）では、ベルトコンベヤー上に配置された複数の貫通開口部を通じて生じる吸引作用を用いて基体の安定化を得ている。
【０００９】
移送系の下流側では、印刷された基体を、典型的にはロールまたはリールの形状に巻き付けることにより、収集する牽引ユニットが動作する。移送系によって基体に与えられる断続的な平行移動を牽引ユニットによって印加される略連続的な牽引作用と一致させるよう、牽引ユニットは、ベルトコンベヤーから機械的に分離されている。より具体的には、牽引作用は通常、収集リールに達する前に基体によって形成されるループに押しつけられるよう（thrust relationship）動作するダンシングローラによって管理されている。
【先行技術文献】
【特許文献】
【００１０】
【特許文献１】国際特許出願公開第２０１７／０６０８７５号
【発明の概要】
【発明が解決しようとする課題】
【００１１】
しかしながら、出願人は、既知の装置のある面を向上しうると考える。
【００１２】
例えば、印刷された基体をロールまたはリールの形状に収集する際に、整った形状で基体を巻き取ることが困難である。制御するのが困難な種々の要因のために、巻き取りの際に、巻き取るときに基体を側方にずらす傾向があるスリップスラストが発生する場合があるからである。
【００１３】
また、基体上への印刷の正確さは常には全体的に満足できるものではないことが判明した。
【００１４】
この点に関して出願人は、高品質の印刷を得るためには、静電的荷電または粘着物質による吸引システムから得られるかどうかにかかわらず、ベルトコンベヤーの表面への基体の固定作用と、ベルトコンベヤーの下流側に配置される牽引ユニットによって基体自体に印加される牽引作用と、の間で妥当な折り合いを見つけることが必要であることを分かった。
【００１５】
特に、詳細には、とりわけ、特に薄くかつ／または傷つきやすい基体への、基体の完全な状態を損なうことを回避するために抑制する必要がある固定作用は、印刷動作の実行の際に基体を確実に効果的に保持するのに不十分であることが分かった。一方、例えば印刷された基体をコンパクトに巻き取りやすくするために牽引作用の強さが増加すると、印刷の正確さは十分には満足できるものとはならない場合がある。
【００１６】
さらに、基体によって形成される巻きが互いに軸方向にずれることなく径方向に重なる規則的な巻き取り作用を用いて基体をロールの形状に収集することはときには困難である。例えば移送系と牽引ユニットとの間に配置されることによって牽引ユニットの上流側の基体自体が移動する経路を長くさせる乾燥ユニットを用いて基体に追加処理を行わなければならない場合、この状況は特に明らかであろう。
【００１７】
本発明は、基体への制動作用をベルトコンベヤーと牽引ユニットとの間の部分に局所化することによって、従来技術の欠点を克服する。
【課題を解決するための手段】
【００１８】
第一の面にかかる本発明の目的は、連続的なシート状の基体へのデジタル印刷方法を提供することにある。方法は、
ベルトコンベヤーに向かって連続的なシート状の基体を供給する工程と、
ベルトコンベヤーに基体を載置する工程と、
好ましくは前記ベルトコンベヤーを用いて、供給方向に沿って基体を平行移動させる工程と、
ベルトコンベヤーの上方で動作する印刷ユニットを用いて基体上に印刷パターンを実現する工程と、
ベルトコンベヤーの下流側で動作する牽引ユニットを用いて印刷された基体を引っ張る工程と、
牽引ユニットによって生成される牽引作用を抑制して（in contrast to traction actions）基体を保持するよう、ベルトコンベヤーと牽引ユニットとの間で基体に制動作用を与える工程と、
を含む。
【００１９】
第二の面にかかる本発明の目的は、連続的なシート状の基体へのデジタル印刷装置を提供することにある。装置は、
連続的なシート状の基体を供給するための供給ユニットと、
供給ユニットから前記基体を受け取り好ましくは供給方向に沿って基体を平行移動させるよう構成されるベルトコンベヤーを備える移送系と、
基体上に印刷パターンを実現するためにベルトコンベヤーの上方で動作する印刷ユニットと、
印刷された基体を引っ張るよう移送系の下流側で動作する牽引ユニットと、
を備え、さらに
牽引ユニットによって生成される牽引作用を抑制するよう基体を保持するように、ベルトコンベヤーと牽引ユニットとの間に機能的に配置される制動ユニットとを備える。
【００２０】
制動作用によって、基体の横方向の位置決めが安定し、好ましくはロールまたはリールの形状に巻き取ることによって、連続的に次第に形成される巻き間の軸方向のずれが生じることなく、整った収集が容易となる。
【００２１】
さらに、制動作用は、基体に沿って牽引ユニットによって印加される牽引を部分的にまたは完全に抑制する。したがって、牽引ユニットによって基体自体に沿って印加される牽引の効果によって良好な状態に保たれている印刷領域における基体を、より安定した位置に維持しやすくなり、高解像度グラフィック模様の実現の際の印刷精度の達成にも役立つ。また、牽引作用が印刷領域における安定した位置決めを損なうことなく、特に傷つきやすい基体の処理中に損傷を防止するために、ベルトコンベヤーへの基体の固定作用の強さを低減することが可能である。また、必要に応じて、例えばリールへ巻き付けられる印刷された基体によって形成される巻きを圧縮しやすくするために、牽引作用の強さを増加することも可能である。
【００２２】
上記の面の一以上において、本発明はさらに、以下の選択的な特徴の一つ以上を備える。
【００２３】
好ましくは、制動作用は基体の長手方向部分に沿って分散される。
【００２４】
好ましくは、制動作用は、基体の前記長手方向部分に沿って均等にまたは略均等に分散される。
【００２５】
好ましくは、制動作用は、基体が摺動する（skimmed by the substrate）スライドプレートに形成される貫通開口部を用いて印加される吸引作用を用いて行われる。
【００２６】
好ましくは、印刷された基体は、ベルトコンベヤーと牽引ユニットとの間に配置される基体の長手方向部分に沿って行われる乾燥作用を受ける。
【００２７】
好ましくは、乾燥作用は、制動作用による影響を受ける基体の長手方向部分に沿って行われる。
【００２８】
好ましくは、乾燥作用は、基体から間隔を空けた位置に支持される放射要素によって生成される光放射を用いて行われる。
【００２９】
好ましくは、乾燥作用は、基体に向けられる少なくとも一つの換気フローを用いて行われる。
【００３０】
好ましく、前記換気フローを基体に向ける前に前記換気フローを用いて前記放射要素を冷却する作用が提供される。
【００３１】
好ましくは、ベルトコンベヤー上に載置される基体はベルトコンベヤー自体に付着する。
【００３２】
好ましくは、前記制動ユニットは、基体が摺動可能に構成され複数の貫通開口部を有するスライドプレートを備える。
【００３３】
好ましくは、前記制動ユニットは、前記スライドプレートによって範囲が定められる吸引チャンバを備える。
【００３４】
好ましくは、前記制動ユニットは、吸引チャンバの内側を真空状態とするよう構成される吸引ユニットを備える。
【００３５】
好ましくは、前記貫通開口部は、基体の供給方向に沿って延設される溝の態様で形成される。
【００３６】
好ましくは、前記溝のそれぞれの幅は３ｍｍ未満である。
【００３７】
好ましくは、前記溝のそれぞれの幅は１．５ｍｍ〜２ｍｍである。
【００３８】
好ましくは、前記溝のそれぞれの長さは２０ｍｍより大きい。
【００３９】
好ましくは、前記溝のそれぞれの長さは３５ｍｍ〜７０ｍｍである。
【００４０】
好ましくは、前記制動ユニットは、基体乾燥系と一体化されている。
【００４１】
好ましくは、乾燥系は、スライドプレートから間隔を空けた位置に懸架される少なくとも一つの加熱器を備える。
【００４２】
好ましくは、加熱器はスライドプレートの上方に懸架される。
【００４３】
好ましくは、加熱器は、スライドプレートを支持する箱状柱体から延設されるそれぞれの延設部と係合する対向する側部を有するパネルを備える。
【００４４】
好ましくは、パネルは箱状構造を有する。
【００４５】
好ましくは、前記加熱器は、パネルによって機能的に担持される放射要素を備える。
【００４６】
好ましくは、前記加熱器はさらに、パネルによって担持され、放射要素を収容するためにスライドプレートに面する凹部を規定する一以上の反射要素を備える。
【００４７】
好ましくは、乾燥系は、スライドプレートに向かって少なくとも換気フローを与えるよう構成される換気装置を備える。
【００４８】
好ましくは、換気装置は、少なくとも一つの好ましくは二つの換気ユニットを備える。
【００４９】
好ましくは、前記換気ユニットはそれぞれ箱状柱体のうちの一つの内部に収容される。
【００５０】
好ましくは、前記換気ユニットは、箱状柱体の上部にかつ／またはパネルのそれぞれの対向する側部に配置されるそれぞれの側部の溝を通じて空気のフローを送る。
【００５１】
好ましくは、溝は、パネルの下面の近傍でかつ／またはパネルの内部で横方向に開口している。
【００５２】
好ましくは、前記換気フローは、スライドプレートに達する前に前記放射要素を掠める。
【００５３】
好ましくは、換気装置は、前記パネルへと内部に延設されており、該パネル自体の下面に形成される一以上の通気開口部を通ってスライドプレートの方向に出ていく換気経路を有する。
【００５４】
好ましくは、前記換気ユニットは、換気経路に沿って空気のフローを送る。
【００５５】
好ましくは、また、ベルトコンベヤーに基体を付着させるための固定装置が備えられる。
【００５６】
好ましくは、牽引ユニットは、基体をロールの形状に収集するよう構成された巻き取り系を備える。
【００５７】
本発明のさらなるの特徴および利点は、本発明にかかる連続的なシート状の基体にデジタル印刷を行うための方法および装置の好ましいが限定するものではない実施形態に詳細な説明から、より明らかとなろう。説明は、概略的であってしたがって限定するものではない例を提供する目的のためにのみ提供される以下の添付の図面を参照しながら行う。
【図面の簡単な説明】
【００５８】
【図１】本発明にかかるデジタル印刷装置の概略側面図である。
【図２】部分的に破断して示す、図１のデジタル印刷装置に配置される制動ユニットおよび牽引ユニットの斜視図である。
【図３】略中央垂直面における断面で示す制動ユニットの図である。
【発明を実施するための形態】
【００５９】
添付の図面を参照して、参照符号１は、本発明にかかる連続的なシート状の基体に印刷するためのデジタル装置を分かりやすく示す。
【００６０】
装置１は、例えば１６００〜３２００ｍｍ以上の範囲にわたる幅を有することもある連続的なシートの態様で供給される紙材料または繊維材料の基体３上にデジタル印刷方法を実行するよう構成される。
【００６１】
装置１は、基体３を移送系４に向かって供給するよう構成される供給ユニット２を備える。供給ユニット２は例えば、供給ローラ３ａの形状で配置される基体３を回転可能に支持するために配置される供給サポート（図示せず）と、場合によっては移送系４に向かって供給ローラ３ａから次第に引き出される基体３に適切に従動するための一以上のアイドラーおよび／または引き延ばしローラ６と、を備えることができる。
【００６２】
移送系４は、入力端部４ａにおいて供給ユニット２から出てくる基体３を受け取る、適当にモータ駆動される少なくとも一つのベルトコンベヤー７を備える。適当にモータ駆動されるベルトコンベヤー７は、所定の供給方向Ｆに沿って移送系４の導出端部４ｂに向かって基体３を平行移動させる。
【００６３】
印刷ユニット８は、ベルトコンベヤー７の上方で動作し、ベルトコンベヤー７上に載置される基体３上に印刷パターンを実現するよう構成される。印刷ユニット８は通常、基体３の供給方向Ｆに対して横方向に沿って往復移動可能であるキャリッジ１０によって担持される一以上の印刷ヘッド９を備える。
【００６４】
ベルトコンベヤー７は典型的には、印刷ユニット８のキャリッジ１０の往復平行移動に対応して、停止ステップと交互に行われる一連の平行移動ステップを基体３に与える段階的な移動に応じて動作する。基体３が停止ステップにある場合には、キャリッジ１０は印刷ヘッド９からのインクの放出を可能にするために平行移動を外向きに行う。基体３が移動ステップにある場合には、キャリッジ１０は、印刷ヘッド９が移動を開始する部分に印刷ヘッド９を戻すために戻り平行移動（return translation）を実行することができる。
【００６５】
基体３の移動と印刷ユニット８の移動との間で正しくタイミングを合わせやすくするために、好ましくは、ベルトコンベヤー７への基体３自体の正しい付着を補助する適当な固定装置１１に移送系４を機能的に関連付けることが考えられる。図示の例において、固定装置１１は、ベルトコンベヤー７上に分散配置される複数の貫通孔（図示せず）を通じて吸引作用を及ぼすよう配置される少なくとも一つの吸引平面１１ａ，１１ｂを備える。より詳細には、例えば国際特許出願公開第２０１７／０６０８７５号に記載されている通り、それぞれ印刷ユニット８の上流側および当該印刷ユニット８の下方で動作する第一吸引平面１１ａと第二吸引平面１１ｂを備えることができる。追加的にまたは代わりに、固定作用を、他の方法で、例えばベルトコンベヤー７の表面上に広げられる粘着物質および／または静電気システムを用いて、達成することができる、
装置１はさらに、ベルトコンベヤー７から出てくる印刷された基体３を引っ張るために移送系４の下流側で動作する少なくとも一つの牽引ユニット１２を備える。牽引ユニット１２は、例えば、一以上のアイドラー・ローラ１３ａの周囲を通過した後、収集ロールまたはリール３ｂの形状に基体３を巻き付けることにより、基体３を収集するように構成される巻き取り系１３を備えることができる。収集リール３ｂに向かう基体３の平行移動を決定するために、当該収集リール３ｂおよび任意選択的にアイドラー・ローラ１３ａの少なくとも一つをモータ駆動とすることができる。
【００６６】
好ましくは、牽引ユニット１２はさらに、収集リール３ｂの上流側で基体３に対して動作するよう構成される少なくとも一つのダンシングローラ１４を備える。好ましくは、ダンシングローラ１４は、支持基台１６に対して揺動可能に保持される一ペアのアーム１５によって回転可能に、好ましくは基体３と平行な揺動水平軸の回りに回転自在に、担持される。荷重装置１７は、例えば、一以上のカウンタウェイトと、アーム１５におよび／または直接ダンシングローラ１４に対して動作してダンシングローラ１４を基体３に向かって所定の力で押圧する、図示しないバネまたは他のスラスト要素と、を備える。したがって、基体３は、前記荷重装置１７に作用することにより調整することができるダンシングローラ１４によって印加される力の強さに関連付けられる、好ましくは一定の、牽引作用を受ける。
【００６７】
制動ユニット１８は、ベルトコンベヤー７と牽引ユニット１２との間に機能的に配置されており、牽引ユニット１２によって生成される当該基体３に対する牽引作用を抑制するよう基体３を保持するよう構成される。
【００６８】
好ましくは、移送系４から牽引ユニット１２に向かう平行移動で基体３自体が移動する経路に沿って、基体３が摺動するよう構成されるスライドプレート１９を、制動ユニット１８は備える。
【００６９】
好ましくは基体３の下方に配置されるスライドプレート１９は、例えば少なくとも基体３が摺動する領域またはこの領域の近傍において適当に分散配置される複数の貫通開口部を有する金属プレートとできる。
【００７０】
スライドプレート１９は、少なくとも一つの吸引ユニット２１の作用を受ける少なくとも一つの吸引チャンバ２０の境界を上方から定める。
【００７１】
より詳細には、図示の例においては、スライドプレート１９は、基体３の供給方向Ｆと平行に配置される中央パーティション２２によってそれぞれ分離される二つの吸引チャンバ２０と関連付けられる。吸引チャンバ２０は、スライドプレート１９自体を側方で支持する箱状柱体２３内にそれぞれが収容される二つの吸引ユニット２１に側方で、スライドプレート１９に対して対向する側部で、接続される。それぞれの吸引ユニット２１は、対応するそれぞれの箱状柱体２３へと吸引された空気を吐き出して、対応するそれぞれの吸引チャンバ２０の内部を真空状態とする。
【００７２】
その結果、スライドプレート１９に形成される貫通開口部２４を用いて生じる真空の効果により、基体３がスライドプレート１９に対して制動される。この制動作用は、スライドプレート１９を摺動する基体３の長手方向部分に沿って好ましくは均等に分散される。
【００７３】
好ましくは、貫通開口部２４は、長手方向に摺動しやすくさせるために、基体３の供給方向Ｆに沿って延設される溝の態様に形成される。基体３の詰まりおよび／または損傷を回避するために、それぞれの貫通開口部２４は、３ｍｍ未満の幅、好ましくは１．５ｍｍ〜２ｍｍの幅の溝の態様で好ましくは形成される。それぞれの溝の長さは、好ましくは２０ｍｍ超であり、より好ましくは３５ｍｍ〜７０ｍｍの間である。
【００７４】
吸引ユニット２１の作用を適切に変更することによって、スライドプレート１９に沿って摺動する基体３に生じる制動作用の強さを調整することができる。制動ユニット１８によって基体３に印加される制動作用は、牽引ユニット１２によって基体３に印加される牽引作用を「妨害」して、当該牽引作用が移送系４まで基体３に沿って全体的に伝わるのを防止する。したがって、牽引ユニット１２を、制動ユニット１８の下流側の部分においてかなり強い牽引作用が生じるよう、作動させることができる。なお、この牽引作用を、制動ユニット１８の上流側に延びる基体３の部分において、十分に減衰させることができる、または必要な場合には完全に無くすことができる。
【００７５】
このことにより、基体３が牽引ユニット１２によって生成される牽引により望ましくないずれを受ける虞なく、プロセス中に基体３をベルトコンベヤー７上で確実に安定させる必要がある基体３の固定作用を低減する可能性が得られる。特に傷つきやすく、力強い固定作用の効果によって、また基体３自体が印刷ユニット８によって吐出されるインクによって濡れる印刷領域における直接的な脆化によっても、損傷を受けやすい基体に対するプロセスをこうして円滑化できる。また、移送系４に沿って基体３自体の完全性および安定性を損なう虞なく、収集リール３ｂに基体３をより一定にかつコンパクトに確実に巻き付けるために、必要な場合には、牽引ユニット１２によって印加される牽引作用を増加することもできる。
【００７６】
好ましくは、印刷された基体３は、ベルトコンベヤー７と牽引ユニット１２との間に配置される基体の長手方向部分に沿って行われる乾燥作用を受けることが想定される。乾燥作用によって、基体３に吐出されるインクを乾燥させることができ、これにより、収集リール３ｂに巻き取る工程中に生成される隣接する巻き間でインク自体が移るのを防止することができる。また乾燥プロセスによって、インクの吸収の結果当該基体に生じうる構造的な脆化の効果を緩和するまたは除去するために、基体３から余分な水分が除去される。
【００７７】
より詳細には、乾燥作用は、制動作用による影響を受ける基体３の長手方向部分と同じ部分において行われることが有用である。
【００７８】
好適には、制動ユニット１８は、基体３の乾燥系２５と一体化されることが想定される。乾燥系２５は好ましくは、スライドプレート１９の上方に間隔を空けた位置に懸架される少なくとも一つの加熱器２６を備える。
【００７９】
図示の実施形態において、加熱器２６は、対向する側部が箱状柱体２３から延設されるそれぞれの延設部２３ａと係合する、好ましくは箱状構造を有するパネル２７を備える。加熱器２６は、パネル２７に担持される一以上の反射要素２９と係合する典型的には赤外線放射ランプである一以上の放射要素２８を備えることができる。より詳細には、放射要素２８はそれぞれ、対応するそれぞれの反射要素２９によって形成される、スライドプレート１９に面する凹部に収容される。
【００８０】
放射要素２８によって生成されかつ／または基体３に向かって反射される放射に応じて、スライドプレート１９に沿った平行移動の際の乾燥の程度が決定される。
【００８１】
追加的にまたは代わりに、乾燥を好適には基体３に向けられる換気作用によって支援することもできる。
【００８２】
このために、乾燥系２５は好ましくは、スライドプレート１９に向かって少なくとも一つの空気のフローを与えるよう構成される換気装置３０を備える。
【００８３】
説明の例において、これらの換気装置３０は、少なくとも一つの、好ましくはそれぞれが箱状柱体２３の一つに収容される二つの換気ユニット３０ａを備える。それぞれの換気ユニット３０ａは、箱状柱体２３の上部にかつ／またはパネル２７のそれぞれの対向する側部に配置されるそれぞれの側部の開口部３１を通じて空気のフローを送る。空気のフローが放射要素２８および／またはパネル２７自体の箱状構造の内面を掠めるように方向付けられるように、側部の開口部３１は、パネル２７の下面の近傍でかつ／または当該パネル内で終端する。より詳細には、それぞれの換気ユニット３０ａから発生される換気の第一フローは、対向する方向に放射要素２８を掠め、そしてパネル２７の下方で互いにぶつかり方向を変えてスライドプレート１９に向かう。追加的にまたは代わりに、換気の第二フローは、パネル２７の箱状構造の内部で延設されるとともにパネル２７自体の下面に形成される通気開口部３２を通ってスライドプレート１９の方向に流れる換気経路を通る。
【００８４】
換気ユニット３０ａによって発生する空気のフローは、過熱を防止するよう熱を除去するように、放射要素２８および／またはパネル２７の表面を掠める。同時に、このように加熱される空気のフローは、スライドプレート１９上に載置される基体３を掠めて、印刷インクの乾燥を促進する。
【図１】
2019093706.tif 000003
【図２】
2019093706.tif 000004
【図３】
2019093706.tif 000005
【外国語明細書】
2019093706000001.pdf